(57)【要約】【課題】取っ手を持っている手の手首を取っ手側に返すことなく、グリル扉をプルダウンさせることができるグリルユニットを提供する。【解決手段】加熱調理器の本体ケース１の前面に開口部２１を有する加熱庫２０と、加熱庫２０の開口部２１を開閉するグリル扉３１、及びグリル扉３１の前面に設けられた取っ手５０を有し、さらに、取っ手５０でグリル扉３１を手前に引いたときに、グリル扉３１を下方向に降下させるプルダウン機構部４０を有するグリル扉装置３０とを備えたグリルユニット１０において、取っ手５０は、グリル扉３１の前面に設けられた２つの支持部材と、２つの支持部材の間に回転自在に設けられた中間バー５３とを備えている。【選択図】図１
2016031159.tif 000002
【特許請求の範囲】
【請求項１】
加熱調理器の本体ケースの前面に開口部を有する加熱庫と、
前記加熱庫の開口部を開閉するグリル扉、及び前記グリル扉の前面に設けられた取っ手を有し、さらに、前記取っ手で前記グリル扉を手前に引いたときに、当該グリル扉を下方向に降下させるプルダウン機構部を有するグリル扉装置と
を備えたグリルユニットにおいて、
前記取っ手は、
前記グリル扉の前面に設けられた２つの支持部材と、
前記２つの支持部材の間に回転自在に設けられた中間バーと
を備えていることを特徴とするグリルユニット。
【請求項２】
前記取っ手は、前記グリル扉の前面の下端部に設けられていることを特徴とする請求項１記載のグリルユニット。
【請求項３】
前記グリル扉は、前記プルダウン機構部により下方向に降下した際に、上端部が下端部よりも手前側に位置して傾斜し、
前記中間バーは、前記グリル扉が下方向に降下した際に、当該グリル扉の上端部よりも手前側に位置することを特徴とする請求項１又は２記載のグリルユニット。
【請求項４】
前記取っ手は、前記グリル扉の前面の上端部に設けられていることを特徴とする請求項１記載のグリルユニット。
【請求項５】
前記中間バーの外形を六角形あるいは八角形としたことを特徴とする請求項１〜４の何れか１項に記載のグリルユニット。
【請求項６】
前記中間バーは、前記２つの支持部材と異なる色で塗装されていることを特徴とする請求項１〜５の何れか１項に記載のグリルユニット。
【請求項７】
前記中間バーの表面は、シボ加工されていることを特徴とする請求項１〜６の何れか１項に記載のグリルユニット。
【請求項８】
前記支持部材は、
前記グリル扉の前面の左右方向にそれぞれ設けられ、手前側に突出する２つの支持部と、
前記２つの支持部にそれぞれ設けられ、左右方向に長く形成された左バー及び右バーとを備え、
前記中間バーは、前記左バー及び前記右バーの間に回転自在に設けられていることを特徴とする請求項１〜７の何れか１項に記載のグリルユニット。
【請求項９】
前記中間バーの外径を、前記左バー及び前記右バーの外径よりも大きくしたことを特徴とする請求項８記載のグリルユニット。
【請求項１０】
前記請求項１〜９の何れかのグリルユニットを備えたことを特徴とする加熱調理器。
【発明の詳細な説明】
【技術分野】
【０００１】
本発明は、グリル調理を行うグリルユニット及びこのグリルユニットを備えた加熱調理器に関するものである。
【背景技術】
【０００２】
加熱調理器に設けられたグリルユニットとして、本体ケース内に設置された前面が開口の箱形状の加熱庫と、加熱庫内に配置されたシーズヒーターと、グリル皿が着脱自在に載置された状態で加熱庫内に収容された引き出し式のグリル扉装置とを備えたものがある。このグリル扉装置は、中央部に透明のガラス窓が設けられたグリル扉と、グリル扉の下端部に設けられた取っ手と、取っ手でグリル扉を手前に引いたときに、グリル扉を傾いた状態で下方向に降下させるプルダウン機構部とを有している（例えば、特許文献１参照）。
【先行技術文献】
【特許文献】
【０００３】
【特許文献１】特開２００８−３０２０５８号公報（第６頁、図１）
【発明の概要】
【発明が解決しようとする課題】
【０００４】
従来の加熱調理器のグリルユニットは、一般的に使用者の腰ぐらいの位置にあるため、取っ手を手前に引いてグリル扉をプルダウンさせたときに、使用者の腕の角度をグリル扉のプルダウンに応じて変化させると共に、取っ手を持っている手の手首を取っ手側に返して腕がグリル扉に触れないようにする必要があった。
【０００５】
本発明は、前述のような課題を解決するためになされたもので、取っ手を持っている手の手首を取っ手側に返すことなく、グリル扉をプルダウンさせることができるグリルユニット及びこのグリルユニットを備えた加熱調理器を得ることを目的とする。
【課題を解決するための手段】
【０００６】
本発明に係るグリルユニットは、加熱調理器の本体ケースの前面に開口部を有する加熱庫と、加熱庫の開口部を開閉するグリル扉、及びグリル扉の前面に設けられた取っ手を有し、さらに、取っ手でグリル扉を手前に引いたときに、当該グリル扉を下方向に降下させるプルダウン機構部を有するグリル扉装置とを備えたグリルユニットにおいて、取っ手は、グリル扉の前面に設けられた２つの支持部材と、２つの支持部材の間に回転自在に設けられた中間バーとを備えている。
【発明の効果】
【０００７】
本発明によれば、グリル扉の前面に設けられた２つの支持部材の間に回転自在に中間バーを設けているので、グリル扉がプルダウンする際に、握っている中間バーが回転する。この中間バーの回転により、グリル扉をプルダウンする際の使用者の手首を返す必要がなくなり、このため、手首への負担を軽減できる。また、前述したように、２つの支持部材の間に回転自在に中間バーを設けているので、加熱庫から中間バーへの熱の伝わりが減少し、前述の特許文献１に記載のグリルユニットの取っ手と比べて表面温度が低くなる。
【図面の簡単な説明】
【０００８】
【図１】本発明の実施の形態に係るグリルユニット及びこのグリルユニットを備えた加熱調理器の斜視図。
【図２】本発明の実施の形態に係るグリルユニットのグリル扉装置を加熱庫から引き出した状態を示す側断面図。
【図３】図２のグリル扉装置のグリル扉を拡大して示す側断面図。
【図４】図３のグリル扉の一部及び取っ手を水平に切断して示す断面図。
【図５】図２のグリル扉装置をプルダウンした状態を示す側断面図。
【図６】図４に示す取っ手の変形例を示す断面図。
【図７】図３に示す取っ手の変形例を示す断面図。
【発明を実施するための形態】
【０００９】
図１は本発明の実施の形態に係るグリルユニット及びこのグリルユニットを備えた加熱調理器の斜視図、図２は本発明の実施の形態に係るグリルユニットのグリル扉装置を加熱庫から引き出した状態を示す側断面図である。
【００１０】
実施の形態に係る加熱調理器は、上面が開口された箱形状の本体ケース１と、本体ケース１の上面の開口を覆うように設置された天板２と、天板２よりも手前側に配置された副操作部３と、本体ケース１の奥に設けられた排気口４と、本体ケース１内に配置された例えば３つの加熱コイルと、これらの加熱コイルの電力を制御する制御部と、本体ケース１内に設置された送風機と、本体ケース１の前面の両端に配置された主操作部５ａ、５ｂと、主操作部５ａ、５ｂの間にグリル扉３１を有するグリルユニット１０とを備えている。
【００１１】
天板２は、平板形状に形成された非磁性材の耐熱ガラスよりなり、外周に支持枠６が設けられた状態で本体ケース１に取り付けられている。天板２の上面には、調理容器の載置位置を示す載置位置表示部７ａ、７ｂ、７ｃが印刷等により表示されている。載置位置表示部７ａ、７ｂ、７ｃの下方には、それぞれ加熱コイルが対向して配置されている。なお、加熱源として加熱コイルを用いているが、全てを加熱コイルとする必要は無く、例えば載置位置表示部７ｃの下方にヒーターを設置しても良い。また、加熱コイルを３つとしているが、加熱コイルを２つあるいは４つとしても良い。
【００１２】
副操作部３は、支持枠６の前部側の上面に設けられている。排気口４は、支持枠６の後部に本体ケース１の幅方向に長く形成され、本体ケース１内を通じて、主操作部５ａ、５ｂの下部に設けられた外気取入口と連通している。送風機は、外気取入口から外気を吸引し、本体ケース１内に外気を送風して３つの加熱コイル、制御部等を冷却し、排気口４から排出する。
【００１３】
グリルユニット１０は、本体ケース１内に設置された板金製の加熱庫２０と、加熱庫２０内に引き出し自在に収容されるグリル扉装置３０とで構成されている。加熱庫２０は、前面に開口部２１を有する箱形状に形成されている。この加熱庫２０は、本体ケース１の前面に設けられた開口に本体ケース１の内側から開口部２１を向けて設置されている。
【００１４】
加熱庫２０の背面２２の上部には、先端に排気口２４を有する排気ダクト２３が設けられている。この排気ダクト２３は、本体ケース１側に設けられた排気口４内に排気口２４が位置するように延びている。加熱庫２０内の上下には、シーズヒーター、ハロゲンヒーター等の発熱体が配設されている。また、加熱庫２０の両側面の下部には、互いに対向し、それぞれ前後方向に延びる２本の板金製のガイドレール２５が取り付けられている。
【００１５】
グリル扉装置３０は、加熱庫２０の開口部２１を開閉するグリル扉３１と、ガイドレール２５に前後方向に摺動自在に嵌合された板金製の摺動レール３２ａ、３２ｂと、摺動レール３２ａ、３２ｂにそれぞれ設けられたプルダウン機構部４０とを備えている。摺動レール３２ａ、３２ｂには、グリル皿６０が取り外し自在に載置される。
【００１６】
グリル扉３１は、中央部に耐熱性を有する透明のガラス窓３３が設けられ、下端部に取っ手５０が取り付けられている。摺動レール３２ａ、３２ｂは、前端部と後端部とに接合された補強部材３４、３５により一体となっている。この補強部材３４、３５により、摺動レール３２ａ、３２ｂのねじれが抑制され、十分な剛性を保つことができる。
【００１７】
プルダウン機構部４０は、前端部にグリル扉３１が設けられ、取っ手５０を手前に引いたときに後端部を支点として下方向に降下するプルダウンアーム４１と、降下するプルダウンアーム４１の角度が一定角度以上にならないようにプルダウンアーム４１を保持する保持アーム４２とで構成されている。
【００１８】
プルダウンアーム４１は、後端部がそれぞれ摺動レール３２ａ、３２ｂの内側の側面にピン４３によって回動自在に支持され、長手方向の中央部に長穴４４を有している。保持アーム４２は、一端部がそれぞれ摺動レール３２ａ、３２ｂの内側の側面にピン４５により回動自在に支持されている。また、保持アーム４２の他端部には、それぞれプルダウンアーム４１の長穴４４を摺動自在に貫通するピン４６が取り付けられている。
【００１９】
次に、取っ手５０の構造について、図３〜図５を用いて説明する。
図３は図２のグリル扉装置のグリル扉を拡大して示す側断面図、図４は図３のグリル扉の一部及び取っ手を水平に切断して示す断面図、図５は図２のグリル扉装置をプルダウンした状態を示す側断面図である。
【００２０】
取っ手５０は、グリル扉３１の前面の左側及び右側にそれぞれ設けられる手前側に突出する２つの支持部５１、５２と、支持部５１の先端に支持部５１の軸心と直交する方向に延びて設けられた円柱形状の左バー５１ａと、支持部５２の先端に支持部５２の軸心と直交する方向に延びて設けられた円柱形状の右バー５２ａと、左バー５１ａと右バー５２ａとの間に設けられた円柱形状の中間バー５３とで構成されている。前述の支持部５１、５２は、グリル扉３１の前面の下端部にネジ５４によって固定されている。なお、支持部５１と左バー５１ａとで１つの支持部材が構成され、また、支持部５２と右バー５２ａとで２つ目の支持部材が構成されている。
【００２１】
左バー５１ａ及び右バー５２ａの互いに対向する先端部には、円柱形状の凸部５１ｂ、５２ｂが設けられている。中間バー５３の両端部には、前記の凸部５１ｂ、５２ｂが回転自在に挿入される円柱形状の凹部５３ａ、５３ｂが設けられている。この構成により、中間バー５３は、左バー５１ａと右バー５２ａとの間で回転自在となっている。また、中間バー５３の外径は、左バー５１ａ及び右バー５２ａの外径と同じ大きさとなっている。
【００２２】
前記のように構成された加熱調理器のグリルユニット１０において、グリル扉装置３０を加熱庫２０から引き出す場合の各部の動作について、図２及び図５を用いて説明する。
先ず、手の平を上に向けた状態で取っ手５０の中間バー５３を軽く握り、その状態で取っ手５０を手前に引くと、図２に示すように、グリル扉３１と共に摺動レール３２ａ、３２ｂが加熱庫２０から引き出される。そして、取っ手５０を握った状態で腕を下げていくと、グリル扉３１の自重により、プルダウンアームがピン４３を支点として下方向に回動し、これに伴って保持アーム４２もピン４５を支点に下方向に回動する。この時、保持アーム４２のピン４６が長穴４４の後端部側へ摺動する。
【００２３】
その後、中間バー５３を握った状態で取っ手５０をさらに下げていくと、図５に示すように、ピン４６が長穴４４の後端部に当接して、グリル扉３１の下降を停止させる。この場合、グリル扉は、上端部が下端部よりも手前側に位置して傾斜する。
【００２４】
一方、グリル扉３１の自重によってグリル扉３１が下降しているときに、握っている中間バー５３は、左バー５１ａと右バー５２ａの各凸部５１ｂ、５２ｂを軸として回転する。そして、グリル扉３１の下降が停止したときには、取っ手５０の中間バー５３の位置がグリル扉３１の上端部よりも手前となる（図５参照）。これは、取っ手５０の中間バー５３を握っている腕がグリル扉３１の上端部に触れないようにするためである。
【００２５】
以上のように実施の形態によれば、グリル扉３１の前面の下端部にそれぞれ設けられた左バー５１ａ及び右バー５２ａの間に回転自在に中間バー５３を設けているので、グリル扉３１がプルダウンする際に、握っている中間バー５３が回転する。この中間バー５３の回転により、グリル扉３１をプルダウンさせる際の使用者の手首を返す必要がなくなり、このため、手首への負担が軽減される。
【００２６】
また、前述のように左バー５１ａ及び右バー５２ａの間に回転自在に中間バー５３を設けているので、加熱庫２０から中間バー５３への熱の伝わりが減少し、前述の特許文献１に記載のグリルユニットの取っ手と比べて表面温度が低くなる。
【００２７】
また、前述したように、グリル扉３１が下降した際に、グリル扉３１の上端部よりも手前側に中間バー５３が位置するように構成しているので、中間バー５３を握っている指が高温部のグリル扉３１の前面に触れるようなことがなくなる。
【００２８】
なお、実施の形態では、中間バー５３の両端部に設けた凹部５３ａ、５３ｂに、左バー５１ａ及び右バー５２ａにそれぞれ設けた凸部５１ｂ、５２ｂを挿入して、中間バー５３を回転自在としたが、取っ手５０の構成を図６に示すようにしてもよい。この図６は図４に示す取っ手の変形例を示す断面図である。
【００２９】
図６に示す取っ手５０は、グリル扉３１の前面の下端部にネジ５４によって固定された支持部５５、５６と、支持部５５の先端に支持部５５の軸心と直交する方向に延びて設けられた円柱形状の左バー５５ａと、支持部５６の先端に支持部５６の軸心と直交する方向に延びて設けられた円柱形状の右バー５６ａと、左バー５５ａと右バー５６ａとの間に設けられた円柱形状の中間バー５７とで構成されている。
【００３０】
左バー５５ａ及び右バー５６ａの互いに対向する先端部には、円柱形状の凹部５５ｂ、５６ｂが設けられている。中間バー５７の両端部には、前記の凹部５５ｂ、５６ｂに回転自在に挿入される円柱形状の凸部５７ａ、５７ｂが設けられている。この構成により、中間バー５７は、左バー５５ａと右バー５６ａとの間で回転自在となっている。また、中間バー５７の外径は、左バー５５ａ及び右バー５６ａの外径と同じ大きさとなっている。
グリル扉装置３０を加熱庫２０から引き出す場合の各部の動作については、実施の形態と同様であり、また、実施の形態と同様の効果が得られている。
【００３１】
また、実施の形態及び変形例では、中間バー５３（５７）の外径を左バー５１ａ（５５ａ）及び右バー５２ａ（５６ａ）の外径と同じとしたが、中間バー５３（５７）の外径を左バー５１ａ（５５ａ）及び右バー５２ａ（５６ａ）の外径よりも大きくして、中間バー５３（５７）を握り易くなるようにしてもよい。
【００３２】
また、取っ手５０の中間バー５３（５７）の形状を円柱形としたが、これに代えて、中間バー５３（５７）の外形をＤカット形状や多角形状（例えば六角形あるいは八角形）としてもよい。中間バー５３（５７）を六角形あるいは八角形状とすることで、グリル扉３１をプルダウンする際に、中間バー５３（５７）を軽く持ったとしても、手が滑るようなことがなくなり、使い勝手が向上する。
【００３３】
また、中間バー５３（５７）の色を、左バー５１ａ（５５ａ）及び右バー５２ａ（５６ａ）と異なる色で塗装してもよいし、中間バー５３（５７）の表面をシボ加工してもよい。中間バー５３（５７）のみ色が異なるようにした場合や、中間バー５３（５７）の表面をシボ加工した場合、使用者にとって中間バー５３（５７）を認識し易くなり、意匠性が向上する。
【００３４】
さらに、実施の形態及び変形例では、取っ手５０をグリル扉３１の下端部に設けたが、図７に示すように、取っ手５０をグリル扉３１の上端部に設けてもよい。この図７は図３に示す取っ手の変形例を示す断面図である。
図７に示す取っ手５０の構成は、図４又は図６の何れでもよい。取っ手５０をグリル扉３１の上端部に設けることにより、使用者のしゃがむ量が減り腰への負担を軽減できる。
【符号の説明】
【００３５】
１  本体ケース、２  天板、３  副操作部、４  排気口、５ａ、５ｂ  主操作部、６  支持枠、７ａ、７ｂ、７ｃ  載置位置表示部、１０  グリルユニット、２０  加熱庫、２１  開口部、２２  背面、２３  排気ダクト、２４  排気口、２５  ガイドレール、３０  グリル扉装置、３１  グリル扉、３２ａ、３２ｂ  摺動レール、３３  ガラス窓、３４、３５  補強部材、４０  プルダウン機構部、４１  プルダウンアーム、４２  保持アーム、４３  ピン、４４  長穴、４５、４６  ピン、５０  取っ手、５１  支持部、５１ａ  左バー、５１ｂ  凸部、５２  支持部、５２ａ  右バー、５２ｂ  凸部、５３  中間バー、５３ａ、５３ｂ  凹部、５４  ネジ、５５  支持部、５５ａ  左バー、５５ｂ  凹部、５６  支持部、５６ａ  右バー、５６ｂ  凹部、５７  中間バー、５７ａ、５７ｂ  凸部、６０  グリル皿。
【図１】
2016031159.tif 000003
【図２】
2016031159.tif 000004
【図３】
2016031159.tif 000005
【図４】
2016031159.tif 000006
【図５】
2016031159.tif 000007
【図６】
2016031159.tif 000008
【図７】
2016031159.tif 000009